(57)【要約】【課題】  患者が受ける痛みを極力緩和することができる穿刺具を提供する。【解決手段】  ハウジング101内に、先端に針ユニット119を着脱自在に保持し、かつ針ユニットを前方へ押し出す針押し棒123を摺動自在に有する針ユニットホルダー120が、ハウジングに対し前後動自在に収められている。針ユニットの穿刺針125がハウジングの先端の針通過孔111を経て出没させられる。ハウジングの前端部に、先端面に前方に尖った多数の尖突部178を有する先端カバー176が設けられている。【選択図】    図３
2005124997.tif 000002
【特許請求の範囲】
【請求項１】
先端面に穿刺針(125)が突出状にまたは出没自在に設けられた穿刺具において、先端面
に前方に尖った多数の尖突部(178)が設けられている穿刺具。
【請求項２】
ハウジング(101)内に、先端に針ユニット(119)を着脱自在に保持し、かつ針ユニットを
前方へ押し出す針押し棒(123)を摺動自在に有する針ユニットホルダー(120)が、ハウジン
グに対し前後動自在に収められ、針ユニットの穿刺針(125)がハウジングの先端の針通過
孔(111)を経て出没させられる穿刺具において、
ハウジングの前端部に、先端面に前方に尖った多数の尖突部(178)を有する先端カバー(
176)が設けられている穿刺具。
【発明の詳細な説明】
【技術分野】
【０００１】
この発明は、例えば血液検査の際に指先等の生体部位から血液を採る際に用いられる穿
刺具に関するものである。
【背景技術】
【０００２】
近年、糖尿病患者は増加傾向にあり、患者自らが血糖値測定器を用いて血糖値を測定・
管理する方法が主流となりつつある。測定に当たり患者は自分の指先から測定用の血液を
採るが、この際、穿刺針を備えた穿刺具を用いて指先の皮膚に針を突き刺し、穿刺部周辺
を圧迫して血液を絞り出す。
【０００３】
従来の穿刺具は、先端に穿刺針を備えたプランジャーをハウジング内で一つのコイルバ
ネで前進させ、針を指先表面に穿刺するものであった。しかしこの構造では穿刺の際に針
に大きな突き出し力を与えるようにバネの付勢力を調節すると、針がハウジング内に戻り
にくくなり、逆に針がハウジング内に確実に戻るようにすると穿刺可能な大きい突き出し
力が得られなくなるため、使い勝手が悪い上に患者に痛みを生じ易い。
【０００４】
最近、穿刺針を備えたプランジャーを先端方向と後端方向とで別々のバネを用いて付勢
する構成の穿刺具が提案され、市販されている（特許文献１参照）。しかし、この穿刺具
でも穿刺の際は患者に痛みを伴う。
【０００５】
またランセット押出し機構を収めたハウジングの先端をリング状に形成し、このリング
状先端を患者の指先に押圧して弱い刺激を与え、これにより穿刺針による痛みを分散して
和らげるという提案がある（特許文献２参照）。しかし、このようなリング形状では満足
な痛み緩和効果は発揮できない。
【特許文献１】特開２０００−２４５７１７号公報の［発明の実施の形態］の欄および図１。
【特許文献２】特開平１１−１６４８２５号公報の［発明の実施の形態］の欄および図１。
【発明の開示】
【発明が解決しようとする課題】
【０００６】
この発明の課題は、上記の実状に鑑み、患者が受ける痛みを極力緩和することができる
穿刺具を提供することである。
【０００７】
なお、特許請求の範囲および明細書全体を通して、前方ないしは先端方向とは、穿刺の
際に針が穿刺具から突出する方向、すなわち図３における左方向をいう。
【課題を解決するための手段】
【０００８】
この発明による穿刺具は、上記課題を解決すべく工夫されたものであり、先端面に穿刺
針(125)が突出状にまたは出没自在に設けられた穿刺具において、先端面に前方に尖った
多数の尖突部(178)が設けられているものである。
【０００９】
この発明による好ましい穿刺具は、ハウジング(101)内に、先端に針ユニット(119)を着
脱自在に保持し、かつ針ユニットを前方へ押し出す針押し棒(123)を摺動自在に有する針
ユニットホルダー(120)が、ハウジングに対し前後動自在に収められ、針ユニットの穿刺
針(125)がハウジングの先端の針通過孔(111)を経て出没させられる穿刺具において、
ハウジングの前端部に、先端面に前方に尖った多数の尖突部(178)を有する先端カバー(
176)が設けられているものである。
【００１０】
尖突部の形状は、好ましくは円錐状または角錐状である。尖突部の高さは好ましくは０
．３〜０．７ｍｍ、より好ましくは０．４〜０．６ｍｍである。多数の
穿刺具の高さは一様であってもランダムであってもよい。尖突部の個数は好ましくは５〜
５０、より好ましくは８〜３５である。先端カバーの先端面における尖突部の配置は、ラ
ンダムであってもよいし、特定パターンをなしていてもよい。このパターンは同心円状、
放射状などであってよい。
【発明の効果】
【００１１】
この発明では、先端面に前方に尖った多数の尖突部が設けられているので、先端面を患
者の指先に押圧し、穿刺針の先部を指先に突き刺す際に、先端面の多数の尖突部が指先に
弱い刺激を与え、これにより穿刺針による痛みを効果的に分散させ、もって患者が受ける
痛みを極力緩和することができる。
【発明を実施するための最良の形態】
【００１２】
つぎに、この発明を図示の実施例に基づいて具体的に説明する。
【００１３】
図１〜３において、ハウジング(101)は、その主体をなす胴筒体(115) と、胴筒体(115)
の先端部に着脱自在に設けられ、かつ先端面中央に針通過孔(111)を有するキャップ(112)
と、胴筒体(115)に外装され、かつ押しボタン(116)を有する胴カバー(117)と、胴筒体(11
5)の後端部に胴筒体に対し前後動自在に設けられたチャージケース(118)とから構成され
ている。
【００１４】
ハウジング(101)内に、先端に針ユニット(119)を着脱自在に保持し、かつ針ユニット(1
19)を前方へ押し出す針押し棒(123)を摺動自在に有する針ユニットホルダー(120)が、ハ
ウジングに対し前後動自在に収められている。針ユニット(119)は円柱状であって、その
先端面中央には穿刺針(125)が前方突状に取付けらている。針ユニット(119)の後半部(104
)は、針ユニットホルダー(120)の前端部に形成された有底円筒状のユニット保持部(162)
内に収められている。
【００１５】
胴筒体(115)と針ユニットホルダー(120)の間に、同ホルダーを前方に付勢して、針ユニ
ット(119)の穿刺針(125)を針通過孔(111)から突き出させる主バネが介装されると共に、
針ユニットホルダー(120)とチャージケース(118)の間に、同ホルダーを後方に付勢して、
前進した針ユニットホルダーを後退させて、穿刺針(125)をキャップ(112)内に収める補助
バネが介装されている。
【００１６】
チャージケース(118)は、これを胴筒体(115)に対し後退させることにより、主バネに針
ユニットホルダー(120)を前進させる付勢力を与えると共に、補助バネに針ユニットホル
ダーを後退させる付勢力を与える。
【００１７】
キャップ(112)の先端小径部には外周面に緩やかな螺旋溝(175)が形成され、前端側部に
内方突部(173)を有する針突出調節用の円環(174)がキャップ(112)の先端小径部に嵌め被
せられ、内方突部(173)が螺旋溝(175)内に配され、カム機構が構成されている。すなわち
、キャップ(112)に対して円環(174)を回すことにより、円環(174)が前後動させられる。
円環(174)の上に、先端面に多数の尖突部(178)を有しかつ先端壁中央に針通過孔(179)を
有する先端カバー(176)が被せられ、その内面凹部に円環(174)前端の係合突部(177)が嵌
合されている。先端カバー(176)の針通過孔(179)はキャップ(112)の針通過孔(111)に重な
るように設けられている。したがって、先端カバー(176)を回すと、これに伴って円環(17
4)が回り、円環(174)の前後動に伴って先端カバー(176)も前後動し、穿刺針(125)の先部
がキャップ(112)の針通過孔(111)および先端カバー(176)の針通過孔(179)を経て先端カバ
ー(176)から突出する長さが調節される。
【００１８】
穿刺具は下記のように操作される。
【００１９】
まず、穿刺操作開始前に、針ユニットホルダー(120)のユニット保持部(162)内に新しい
針ユニット(119)の後半部(104)を収める。チャージケース(118)は胴筒体(115)に対し最も
前進した位置にある。
【００２０】
つぎに、チャージケース(118)を胴筒体(115)に対し後方へ引くと、これに伴って補助バ
ネが圧縮され、針ユニットホルダー(120)が後退させられ所定位置に係止されると共に、
主バネも圧縮される。主バネの圧縮により、針ユニットホルダー(120)を前進させる付勢
力が生じ、補助バネの圧縮により、針ユニットホルダーを後退させる付勢力が生じる。
【００２１】
つぎに、チャージ状態のチャージケース(118)をリリースすると、チャージケース(118)
は補助バネの付勢力によって前進させられ、元の状態に戻る。
【００２２】
この状態で、押し釦(116)を押して針ユニットホルダー(120)の係止をリリースする。そ
の結果、主バネの前方付勢力により針ユニットホルダー(120)は前進させられ、針ユニッ
ト(119)の穿刺針(125)はキャップ(112)の針通過孔(111)および先端カバー(176)の針通過
孔(179)を経て先端カバー(176)から前方へ所定長さ突き出され、指先の皮膚に突き刺され
る。その際に、先端カバー(176)の多数の尖突部(178)が指先に弱い刺激をもたらし、これ
により穿刺針(125)による痛みが分散され緩和される。
【００２３】
穿刺後、針ユニットホルダー(120)は補助バネの後方付勢力により後退させられ、針ユ
ニット(119)の穿刺針(125)はキャップ(112)内に収められ、元の状態に戻る。
【図面の簡単な説明】
【００２４】
【図１】穿刺具の斜視図である。
【図２】穿刺具の前端部の分解状態を示す斜視図である。
【図３】穿刺状態を示す穿刺具の垂直縦断面図である。
【符号の説明】
【００２５】
(101)：ハウジング
(119)：針ユニット
(123)：針押し棒
(120)：針ユニットホルダー
(125)：穿刺針
(111)：針通過孔
(178)：尖突部
(176)：先端カバー
【図１】
2005124997.tif 000003
【図２】
2005124997.tif 000004
【図３】
2005124997.tif 000005